(57)【要約】【課題】家庭電気製品を収納した状態で使用できるようにした家庭電気製品収納庫において、キャビネット内に収納した家庭電気製品に異常が発生した場合に給電を停止し家庭電気製品の動作を停止することで、被害が拡大するのを防止する。【解決手段】キャビネット１内に、家庭電気製品４を収納する前面が開口した家庭電気製品収納部２を設け、この家庭電気製品収納部２に家庭電気製品２へ給電する給電手段６を設け、家庭電気製品収納部２の異常過熱、蒸気漏れなどの異常を検知する異常検知手段７の出力により制御手段８を動作させる。制御手段８は、家庭電気製品収納部２に異常が発生した場合、異常検知手段７の出力により給電手段６への給電を停止するよう構成する。【選択図】図１
2006334127.tif 000002
【特許請求の範囲】
【請求項１】
キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の異常過熱、蒸気漏れなどの異常を検知する異常検知手段と、この異常検知手段の出力により動作する制御手段とを備え、前記制御手段は、前記家庭電気製品収納部に異常が発生した場合、前記異常検知手段の出力により前記給電手段への給電を停止するよう構成した家庭電気製品収納庫。
【請求項２】
キャビネットと、このキャビネット内に設け家庭電気製品を収納する前面が開口した家庭電気製品収納部と、この家庭電気製品収納部の天面に設け家庭電気製品から排出される熱気・蒸気を家庭電気製品収納部外へ排出する排出装置と、前記家庭電気製品収納部に設け家庭電気製品へ給電する給電手段と、前記家庭電気製品収納部の異常過熱、蒸気漏れなどの異常を検知する異常検知手段と、この異常検知手段の出力により動作する制御手段とを備え、前記制御手段は、前記家庭電気製品収納部に第１の判定基準を超える異常が発生した場合に前記排出装置を駆動し、前記第１の判定基準より高い第２の判定基準を超える異常が発生した場合に前記給電手段への給電を停止するよう構成した家庭電気製品収納庫。
【請求項３】
異常検知手段は、家庭電気製品収納部内の温度を検知する温度検知手段で構成した請求項１または２記載の家庭電気製品収納庫。
【請求項４】
異常検知手段は、家庭電気製品の表面温度を検知する温度検知手段で構成した請求項１または２記載の家庭電気製品収納庫。
【請求項５】
異常検知手段は、家庭電気製品収納部内の湿度を検知する湿度検知手段で構成した請求項１または２記載の家庭電気製品収納庫。
【請求項６】
報知動作をする報知手段を備え、前記報知手段は、制御手段により給電手段への給電を停止したとき報知するよう構成した請求項１〜５のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、全面が開口し家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【特許文献１】特公平７−１１４７３５号公報
【発明の開示】
【発明が解決しようとする課題】
【０００３】
このような従来の構成では、キャビネット内に家庭電気製品を収納して使用しているとき、家庭電気製品に異常過熱、蒸気漏れなどの異常があった場合に、そのまま使用をつづけると家庭電気製品収納庫が故障するばかりでなく、異常過熱の場合は被害が拡大する可能性があるという問題を有していた。
【０００４】
本発明は上記従来の課題を解決するもので、キャビネット内に収納した家庭電気製品に異常が発生した場合に給電を停止し家庭電気製品の動作を停止することで、被害が拡大するのを防止することを目的としている。
【課題を解決するための手段】
【０００５】
本発明は上記目的を達成するために、キャビネット内に、家庭電気製品を収納する前面が開口した家庭電気製品収納部を設け、この家庭電気製品収納部に家庭電気製品へ給電する給電手段を設け、家庭電気製品収納部の異常過熱、蒸気漏れなどの異常を検知する異常検知手段の出力により制御手段を動作させるよう構成し、制御手段は、家庭電気製品収納部に異常が発生した場合、異常検知手段の出力により給電手段への給電を停止するよう構成したものである。
【０００６】
これにより、キャビネット内に収納した家庭電気製品に異常が発生した場合に給電を停止することで家庭電気製品の動作を停止することができ、被害が拡大するのを防止することができる。
【発明の効果】
【０００７】
本発明の家庭電気製品収納庫は、キャビネット内に収納した家庭電気製品に異常が発生した場合に給電を停止することでキャビネット内に収納した家庭電気製品の動作を停止することができ、被害が拡大するのを防止することができる。
【発明を実施するための最良の形態】
【０００８】
第１の発明は、キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の異常過熱、蒸気漏れなどの異常を検知する異常検知手段と、この異常検知手段の出力により動作する制御手段とを備え、前記制御手段は、前記家庭電気製品収納部に異常が発生した場合、前記異常検知手段の出力により前記給電手段への給電を停止するよう構成したものであり、キャビネット内の家庭電気製品収納部に収納した家庭電気製品に異常過熱、蒸気漏れなどの異常が発生した場合に、給電手段への給電を停止することで家庭電気製品の動作を停止することができ、被害が拡大するのを防止することができる。
【０００９】
第２の発明は、キャビネットと、このキャビネット内に設け家庭電気製品を収納する前面が開口した家庭電気製品収納部と、この家庭電気製品収納部の天面に設け家庭電気製品から排出される熱気・蒸気を家庭電気製品収納部外へ排出する排出装置と、前記家庭電気製品収納部に設け家庭電気製品へ給電する給電手段と、前記家庭電気製品収納部の異常過熱、蒸気漏れなどの異常を検知する異常検知手段と、この異常検知手段の出力により動作する制御手段とを備え、前記制御手段は、前記家庭電気製品収納部に第１の判定基準を超える異常が発生した場合に前記排出装置を駆動し、前記第１の判定基準より高い第２の判定基準を超える異常が発生した場合に前記給電手段への給電を停止するよう構成したものであり、キャビネット内の家庭電気製品収納部に収納した家庭電気製品に蒸気漏れなどの異常が発生した場合は、排出装置を動作することによりキャビネット内に蒸気が充満して結露するのを防止することができ、異常過熱などの被害が拡大する異常の場合は、速やかに給電手段への給電を停止することで家庭電気製品の動作を停止することができ、被害が拡大するのを防止することができる。
【００１０】
第３の発明は、上記第１または第２の発明において、異常検知手段は、家庭電気製品収納部内の温度を検知する温度検知手段で構成したものであり、簡単な構成でキャビネット内の温度上昇より、キャビネット内の家庭電気製品収納部に収納した家庭電気製品の異常過熱、蒸気漏れなどの異常を検知することができる。
【００１１】
第４の発明は、上記第１または第２の発明において、異常検知手段は、家庭電気製品の表面温度を検知する温度検知手段で構成したものであり、家庭電気製品の異常過熱、蒸気漏れなどの異常を直接検知することができ、精度の高い検知が可能となる。
【００１２】
第５の発明は、上記第１または第２の発明において、異常検知手段は、家庭電気製品収納部内の湿度を検知する湿度検知手段で構成したものであり、蒸気漏れに対する異常を検知することができる。
【００１３】
第６の発明は、上記第１〜５のいずれか１つの発明において、報知動作をする報知手段を備え、前記報知手段は、制御手段により給電手段への給電を停止したとき報知するよう構成したものであり、家庭電気製品の異常を使用者が確認でき、異常に対する速やかな対応を図ることができる。
【００１４】
以下、本発明の実施の形態について、図面を参照しながら説明する。なお、この実施の形態によって本発明が限定されるものではない。
【００１５】
（実施の形態１）
図１および図２に示すように、キャビネット１は、前面が開口した家庭電気製品収納部２を有し、この家庭電気製品収納部２の中に引き出しレール（図示せず）により前後方向に移動自在に収納台３を設け、この収納台３に家庭電気製品４を載置して家庭電気製品収納部２内に家庭電気製品４を収納するように構成している。家庭電気製品収納部２の前面に扉５を開閉自在に設けている。
【００１６】
給電手段６は、コンセントにより構成し、家庭電気製品４を接続して給電するもので、家庭電気製品収納部２に設けている。異常検知手段７は、サーミスタなどの家庭電気製品収納部２内の温度を検知する温度検知手段により構成し、家庭電気製品収納部２の異常過熱、蒸気漏れなどの異常を検知するもので、異常検知手段７の出力により制御手段８を動作するよう構成している。
【００１７】
すなわち、図３に示すように、制御手段８はコイル８ａと接点８ｂとを有するリレーで構成し、接点８ｂを交流１００Ｖ電源と給電手段６との間に接続し、コイル８ａを駆動部９に接続し、家庭電気製品収納部２に異常過熱、蒸気漏れなどの異常が発生した場合、異常検知手段７がこれを検知し、その出力により駆動部９を介して制御手段８を動作させ、給電手段６への給電を停止するよう構成している。なお、１０は、家庭電気製品４を給電手段６に接続するプラグである。
【００１８】
表示部（報知手段）１１は、制御手段８により給電手段６への給電を停止したとき表示（報知）するよう構成したもので、図４に示すように、異常表示ランプ１２を点灯して表示するよう構成している。
【００１９】
上記構成において動作を説明する。家庭電気製品収納部２内の収納台３を、図１の２点鎖線で示すように前方に引き出し、この収納台３上に家庭電気製品４を載置し、収納台３を後方に移動させて家庭電気製品４を家庭電気製品収納部２内に収納し、プラグ１０を給電手段６に接続する。このとき、交流１００Ｖ電源より制御手段８の接点８ｂを介して給電手段６に給電され、家庭電気製品４は動作可能な状態にある。その後、家庭電気製品４の動作を開始することで、所定の動作をさせることができる。
【００２０】
ここで、家庭電気製品４に何等かの原因で異常過熱、蒸気漏れなどの異常が発生すると、異常検知手段７がこれを検知し、その出力により駆動部９を介して制御手段８を動作させ、給電手段６への給電を停止し、家庭電気製品４の動作を停止する。これにより、異常過熱、蒸気漏れなどによる被害が拡大するのを防止することができる。また、このとき、表示部１１の異常表示ランプ１２を点灯して給電手段６への給電を停止したことを報知する。
【００２１】
以上のように、本実施の形態においては、キャビネット１内に、家庭電気製品４を収納する前面が開口した家庭電気製品収納部２を設け、この家庭電気製品収納部２に家庭電気製品４へ給電する給電手段６を設け、家庭電気製品収納部２に異常過熱、蒸気漏れなどの異常が発生した場合、異常検知手段７の出力により給電手段６への給電を停止するよう構成したので、キャビネット１内の家庭電気製品収納部２に収納した家庭電気製品４に異常過熱、蒸気漏れなどの異常が発生した場合に、給電手段６への給電を停止することで家庭電気製品４の動作を停止することができ、被害が拡大するのを防止することができる。
【００２２】
また、異常検知手段７は、家庭電気製品収納部２内の温度を検知する温度検知手段で構成したので、簡単な構成でキャビネット１内の温度上昇より、キャビネット１内の家庭電気製品収納部２に収納した家庭電気製品４の異常過熱、蒸気漏れなどの異常を検知することができる。
【００２３】
また、給電手段６への給電を停止したとき報知するよう構成したので、家庭電気製品４の異常を使用者が確認でき、異常に対する速やかな対応を図ることができる。
【００２４】
なお、本実施の形態では、異常検知手段７は、サーミスタなどの家庭電気製品収納部２内の温度を検知する温度検知手段により構成しているが、家庭電気製品４の表面温度を検知する温度検知手段で構成してもよく、この場合は、家庭電気製品４の異常過熱、蒸気漏れなどの異常を直接検知することができ、精度の高い検知をすることができる。
【００２５】
また、異常検知手段７は、家庭電気製品収納部２内の湿度を検知する湿度検知手段で構成してもよく、この場合は、蒸気漏れに対する異常を精度よく検知することができる。
【００２６】
（実施の形態２）
図５に示すように、排出装置１３は、家庭電気製品４から排出される熱気・蒸気を排出口１４より家庭電気製品収納部２外へ排出するもので、家庭電気製品収納部２の天面に設けている。また、家庭電気製品収納部２内には、図６に示すように、扉５に設けた吸気口１５より外部から空気を吸い込むようにしている。
【００２７】
制御手段１６は、家庭電気製品収納部２の異常過熱、蒸気漏れなどの異常を検知する異常検知手段７の出力により動作するもので、図７に示すように、コイル１６ａと接点１６ｂとを有する第１のリレーと、コイル１６ａ’と接点１６ｂ’とを有する第２のリレーとで構成し、接点１６ｂを交流１００Ｖ電源と給電手段６との間に接続し、接点１６ｂ’を交流１００Ｖ電源と排出装置１３との間に接続し、コイル１６ａ、１６ａ’をそれぞれ駆動部９、９’に接続し、家庭電気製品収納部２に第１の判定基準を超える異常が発生した場合に排出装置１３を駆動し、第１の判定基準より高い第２の判定基準を超える異常が発生した場合に給電手段６への給電を停止するよう構成している。他の構成は上記実施の形態１と同じであり、同一符号を付して説明を省略する。
【００２８】
上記構成において動作を説明する。家庭電気製品収納部２内の収納台３を、図５の２点鎖線で示すように前方に引き出し、この収納台３上に家庭電気製品４を載置し、収納台３を後方に移動させて家庭電気製品４を家庭電気製品収納部２内に収納し、プラグ１０を給電手段６に接続する。このとき、交流１００Ｖ電源より制御手段１６の接点１６ｂを介して給電手段６に給電され、家庭電気製品４は動作可能な状態にある。一方、排出装置１３は駆動されていない状態である。その後、家庭電気製品４の動作を開始することで、所定の動作をさせることができる。
【００２９】
ここで、家庭電気製品４に何等かの原因で、蒸気漏れなどの第１の判定基準を超える異常が発生すると、異常検知手段７がこれを検知し、その出力により駆動部９’を介して制御手段１６を構成する第２のリレーを動作させ、排出装置１３を駆動し、キャビネット１内に蒸気が充満して結露するのを防止することができる。
【００３０】
つぎに、家庭電気製品４に異常過熱などの第１の判定基準より高い第２の判定基準を超える異常が発生すると、異常検知手段７がこれを検知し、その出力により駆動部９を介して制御手段１６を構成する第１のリレーを動作させ、給電手段６への給電を停止し、家庭電気製品４の動作を停止する。これにより、異常過熱による被害が拡大するのを防止することができる。また、このとき、表示部１１の異常表示ランプ１２を点灯して給電手段６への給電を停止したことを報知する。
【００３１】
以上のように、本実施の形態においては、キャビネット１内に、家庭電気製品４を収納する前面が開口した家庭電気製品収納部２を設け、この家庭電気製品収納部２の天面に家庭電気製品４から排出される熱気・蒸気を家庭電気製品収納部２外へ排出する排出装置１３を設け、この家庭電気製品収納部２に家庭電気製品４へ給電する給電手段６を設け、家庭電気製品収納部２に第１の判定基準を超える異常が発生した場合に排出装置１３を駆動し、第１の判定基準より高い第２の判定基準を超える異常が発生した場合に給電手段６への給電を停止するよう構成したので、キャビネット１内の家庭電気製品収納部２に収納した家庭電気製品４に蒸気漏れなどの異常が発生した場合は、排出装置１３を動作することによりキャビネット１内に蒸気が充満して結露するのを防止することができ、異常過熱などの被害が拡大する異常の場合は、速やかに給電手段６への給電を停止することで家庭電気製品４の動作を停止することができ、被害が拡大するのを防止することができる。
【００３２】
なお、本実施の形態では、異常検知手段７は、家庭電気製品収納部２内の温度を検知する温度検知手段で構成することにより、簡単な構成でキャビネット１内の温度上昇より、キャビネット１内の家庭電気製品収納部２に収納した家庭電気製品４の異常過熱、蒸気漏れなどの異常を検知することができるが、家庭電気製品４の表面温度を検知する温度検知手段で構成してもよく、この場合は、家庭電気製品４の異常過熱、蒸気漏れなどの異常を直接検知することができ、精度の高い検知をすることができる。
【００３３】
また、異常検知手段７は、家庭電気製品収納部２内の湿度を検知する湿度検知手段で構成してもよく、この場合は、蒸気漏れに対する異常を精度よく検知することができる。
【産業上の利用可能性】
【００３４】
以上のように、本発明にかかる家庭電気製品収納庫は、キャビネット内に収納した家庭電気製品に異常が発生した場合に給電を停止することでキャビネット内に収納した家庭電気製品の動作を停止することができ、被害が拡大するのを防止することができるので、家庭電気製品を収納した状態で使用できるようにした家庭電気製品収納庫として有用である。
【図面の簡単な説明】
【００３５】
【図１】本発明の実施の形態１における家庭電気製品収納庫の断面図
【図２】同家庭電気製品収納庫の正面図
【図３】同家庭電気製品収納庫の一部ブロック化した回路図
【図４】同家庭電気製品収納庫の表示部の拡大正面図
【図５】本発明の実施の形態２における家庭電気製品収納庫の断面図
【図６】同家庭電気製品収納庫の正面図
【図７】同家庭電気製品収納庫の一部ブロック化した回路図
【符号の説明】
【００３６】
１  キャビネット
２  家庭電気製品収納部
４  家庭電気製品
６  給電手段
７  異常検知手段
８  制御手段
【図１】
2006334127.tif 000003
【図２】
2006334127.tif 000004
【図３】
2006334127.tif 000005
【図４】
2006334127.tif 000006
【図５】
2006334127.tif 000007
【図６】
2006334127.tif 000008
【図７】
2006334127.tif 000009